(57)【要約】【課題】オーダーフォルダの削除前にその削除期限を電子メールで通知するとともに、未使用画像を利用した合成処理の作例を該顧客に送付することで、顧客の意思に基づくオーダーフォルダの削除の実現、およびプリント需要を喚起することにある。【解決手段】本発明の印刷注文受付装置は、自動でオーダーフォルダを削除する手段を持ち、かつ、ランダムに選択されたデザインテンプレートと該オーダーで未使用であった画像との合成結果の縮小画像を該顧客に送付する手段を持っている。また、オーダーフォルダの削除期限情報や合成サンプル画像を送付する手段として電子メールを利用するため、該印刷注文受付装置は直接的もしくは間接的にネットワークに接続できる環境にある必要がある。【選択図】        図１
2004318489.tif 000002
【特許請求の範囲】
【請求項１】
顧客が持ち込んだオリジナル画像と、該画像データを利用して実行される該顧客が指定したデザインテンプレートとの画像合成サービスにおいて処理される印刷レイアウト情報と、該顧客の名前や電子メールアドレス等の顧客の属性を格納するデータとを、顧客の注文に対応したオーダーフォルダに格納し、該フォルダを注文ごとに管理するオーダーデータ管理方法であって、自動でオーダーフォルダを削除する手段と、該オーダーで編集時に使用されなかった画像があった場合に、ランダムに選択されたデザインテンプレートと該デザインテンプレートが持つ空の画像スロットの数に応じてランダムに選択された該未使用画像を利用して新規の合成処理を自動で実行し、その合成結果となる編集イメージの縮小画像および該オーダーフォルダが実際に削除される日時情報とを電子メールにて該オーダーフォルダ削除処理の前に該顧客に自動送信する手段と、を有することを特徴とする印刷注文受付装置。
【請求項２】
オーダー生成から前記オーダーフォルダが削除されるまでの期間、および実際に削除される前に前記デザインテンプレートとの合成結果のサンプル画像および削除日時情報を電子メールで送信する削除通知時期を設定する手段を有することを特徴とする請求項１記載の印刷注文受付装置。
【請求項３】
前記電子メールにて削除通知を送付済みのオーダーをソースとして、該オーダーフォルダ内で未使用であった画像のみで入力画像群を構成する新規のオーダーを生成する手段を有することを特徴とする請求項１記載の印刷注文受付装置。
【請求項４】
前記印刷注文受付装置において表示される全オーダーのリスト表示画面ではオーダー生成日時および削除日時が表示され、前記電子メールにて削除通知を送付済みのオーダーについては、アイコンおよび削除期限をつけて他のオーダーと区別して表示することを特徴とする請求項１記載の印刷注文受付装置。
【発明の詳細な説明】
【０００１】
【発明の属する技術分野】
本発明は、顧客が持ち込んだ画像とデザインテンプレートを合成するサービスを提供する印刷注文受付装置に関する。
【０００２】
【従来の技術】
ポストカードなどのデザイン画像と顧客のオリジナル画像とを合成するサービスを提供する印刷注文受付装置においては、そのオリジナルの画像群と印刷レイアウト情報が店舗等での受付ごとに同一フォルダ内で管理されている。このようなオーダーデータ管理技術は、例えば、下記特許文献１などで公開されている。こういった技術においては、そのフォルダ自体の削除をもって、オーダー情報の削除が実現されていると推測される。また、削除処理にあたり該顧客に対する確認が行われていなかった。
【０００３】
【特許文献１】
特開２００１−２９７２３８号公報
【０００４】
【発明が解決しようとする課題】
前記印刷注文受付装置においては、前記オーダーを利用した再印刷、再編集依頼が何時発生するのか予測することは困難であるため、従来はサービスが完了した時点で、もしくは手動で、該オーダーフォルダを削除する運用がなされてきた。しかし、該オーダーフォルダ削除後にあっては、再印刷、再編集依頼をしてきた顧客に対して、再度画像を入力するところから始めなければならず、また、細かい画像補正や文字入力など、編集内容を詳細なレベルまで復元させるのは難しい。
【０００５】
一方で、顧客が店舗に持ち込み該オーダーで読み込んだ画像は必ずしもすべてが編集処理において用いられるわけではなく、該印刷受付装置を導入する店舗にとっては、何らかの理由があって未使用のままである画像であっても、該画像を可能な限り印刷注文を増やしたいといった要望もある。
【０００６】
本発明の目的は、このような状況を鑑み、該顧客の注文を受けて作成したオーダーフォルダの削除にあたり、該オーダーフォルダの削除前にその削除期限を通知するとともに、未使用画像を利用した合成処理の作例を該顧客に送付することで、顧客の意思に基づくオーダーフォルダの削除および該印刷受付装置を導入する店舗でのプリント需要を喚起することのできる印刷注文受付装置を提供することにある。
【０００７】
【課題を解決するための手段】
前述の課題を解決するため、本発明の印刷注文受付装置は、以下（１）〜（４）の構成を備える。
【０００８】
（１）顧客が持ち込んだオリジナル画像と、該画像データを利用して実行される該顧客が指定したデザインテンプレートとの画像合成サービスにおいて処理される印刷レイアウト情報と、該顧客の名前や電子メールアドレス等の顧客の属性を格納するデータとを、顧客の注文に対応したオーダーフォルダに格納し、該フォルダを注文ごとに管理するオーダーデータ管理方法であって、自動でオーダーフォルダを削除する手段と、該オーダーで編集時に使用されなかった画像があった場合に、ランダムに選択されたデザインテンプレートと該デザインテンプレートが持つ空の画像スロットの数に応じてランダムに選択された該未使用画像を利用して新規の合成処理を自動で実行し、その合成結果となる編集イメージの縮小画像および該オーダーフォルダが実際に削除される日時情報とを電子メールにて該オーダーフォルダ削除処理の前に該顧客に自動送信する手段と、を有することを特徴とする印刷注文受付装置。
【０００９】
（２）オーダー生成から前記オーダーフォルダが削除されるまでの期間、および実際に削除される前に前記デザインテンプレートとの合成結果のサンプル画像および削除日時情報を電子メールで送信する削除通知時期を設定する手段を有することを特徴とする上記（１）記載の印刷注文受付装置。
【００１０】
（３）前記電子メールにて削除通知を送付済みのオーダーをソースとして、該オーダーフォルダ内で未使用であった画像のみで入力画像群を構成する新規のオーダーを生成する手段を有することを特徴とする上記（１）記載の印刷注文受付装置。
【００１１】
（４）前記印刷注文受付装置において表示される全オーダーのリスト表示画面ではオーダー生成日時および削除日時が表示され、前記電子メールにて削除通知を送付済みのオーダーについては、アイコンおよび削除期限をつけて他のオーダーと区別して表示することを特徴とする上記（１）記載の印刷注文受付装置。
【００１２】
【発明の実施の形態】
本発明により、顧客に対してオーダーフォルダ削除期限を知らせることで、後になって再印刷依頼があった場合に画像の再入力からはじめるような不手際が生じる確率を低減させることができる。また、オーダーフォルダ内で編集処理にて利用されなかった画像に対して、印刷するきっかけを与えることで、印刷注文の需要を喚起することが可能となる。これらを実現するために該印刷注文受付装置は、自動でオーダーフォルダを削除する手段を持ち、かつ、ランダムに選択されたデザインテンプレートと該オーダーで未使用であった画像との合成結果の縮小画像を該顧客に送付する手段を持っている。
【００１３】
また、顧客への該削除期限通知を自動実行するために、該印刷注文受付装置は、直接インターネットに接続して電子メールを送付可能な状態にある、もしくは、インターネットにアクセスできるメールサーバに接続されている状態にある必要がある。
【００１４】
図１は、本発明の一実施例となる、オーダーフォルダに対する削除処理のフローを示している。該印刷装置は各オーダーフォルダに対して、定期的に、例えば一日一度程度、前記削除期限に達しているかどうかをチェックする。このチェック処理は、まず該オーダーフォルダ内のオーダー属性情報のうち削除属性を取得しチェックし（１２）、削除時期に達していれば該オーダーフォルダ全体を削除して終了する（１３、２２）。１２において削除時期に達していない場合には引き続き該オーダー属性情報から該オーダーのステータス属性を取得してチェックし（１４）、該オーダーの顧客に対して前記削除期限通知を実施済みであれば何もせず終了する（２２）。１４において削除期限通知が未実施の場合には、システム設定情報から該削除期限通知を実施する時期属性を取得し、該削除期限通知の時期に達しているかどうかをチェックし（１５）、該時期に達していなければ何もせず終了する（２２）。１５において、該削除期限通知時期に達している場合には、該オーダーフォルダ内の顧客属性情報のうちから、該顧客の電子メールアドレス属性があるかどうかをチェックし（１６）、該顧客属性情報の中に電子メールアドレス属性がなければ何もせず終了する（２２）。１６において、該電子メールアドレス属性があれば、該オーダーフォルダ内で未使用画像があるかどうかをチェックし（１７）、該未使用画像がなければ何もせず終了する（２２）。１７における未使用画像のチェック処理では、該オーダーフォルダ内の印刷レイアウト情報ファイル内で指定されている入力画像の名称をすべて検索して、該オーダーフォルダ内の全入力画像のうち、該印刷レイアウト情報に記載されていない画像を特定する。１７で未使用画像があるとされた場合には、ランダムにデザインテンプレートを選択し、該デザインテンプレート上で入力画像がはめ込まれるべき空き画像スロット数に応じた該未使用画像を抽出して（１８）、該デザインテンプレートとの合成処理を行い合成結果の縮小画像を該オーダーフォルダ内に保存する（１９）。該デザインテンプレートはランダムに選択されるものの、該未使用画像の総数を超える空き画像スロット数を持つものは対象外となる。つまり、すべての該未使用画像を該デザインテンプレートの空き画像スロットに割り当てても、空きの画像スロットが生じないようにする。続いて、２０では１６のチェックのために取得した該顧客の電子メールアドレスを宛て先として、１８で選択したテンプレートのＩＤおよび１２のチェックのために取得したオーダーフォルダ削除期限を含む通知メッセージ本文を生成し、該メッセージ本文に１９で保存された画像を付加して、該印刷注文受付装置が接続するメールサーバに対してＳＭＴＰ（Ｓｉｍｐｌｅ  Ｍａｉｌ  Ｔｒａｎｓｆｅｒ  Ｐｒｏｔｏｃｏｌ）を利用して送付する。該顧客が受信した該作成どおりに再注文する可能性があるため、該テンプレートＩＤの添付は必須である。また、該通知メッセージ本文生成にあたり、該印刷注文受付装置は、特定の位置に格納された通知メッセージテンプレートファイルを参照する。該通知メッセージテンプレートファイルはテキストデータ形式であり、該印刷注文受付装置のユーザが自由に編集できる。該印刷注文受付装置は、該通知メッセージテンプレートファイル内にある特定のキーワード部分を、該オーダーの属性である、顧客名やオーダー作成および削除日時、自動合成で利用されたテンプレートＩＤ文字列に展開し、該削除期限通知メッセージ本文とする。該メッセージ送付後は該縮小画像は削除する。該オーダーフォルダ削除期限通知実施後は、該オーダーのステータスを削除期限情報送付済みに変更して（２１）、終了する。
【００１５】
なお、該合成処理において生成される縮小画像は、表示装置上でどのような画像が利用されたのかが理解できる程度の大きさの解像度を持つものとする。また、該画像は汎用画像フォーマットでなければならないが、顧客の電子メールソフトウエアが稼動する環境は様々なものがあるため、該画像は圧縮形式のものが望ましい。
【００１６】
図２は、本発明の一実施例となる、１オーダーにおける基本処理フローである。該印刷注文受付装置は、顧客の注文を受けてオーダーを新規生成し（２３、２４）、画像の取り込み（２５）、テンプレート選択、文字入力、画像補正といった編集処理を経て（２６）、出力先となるプリンタの指定や印刷部数、用紙の選択等の印刷属性設定を受けたのち印刷処理を行う（２７）。該印刷注文受付装置は、前記印刷処理を終えるとそのオーダーフォルダを削除する期限情報を設定するために、該印刷注文受付装置が持つシステム設定情報のうちユーザが指定したオーダーフォルダ削除期限情報を取得して該オーダーフォルダの削除期限を該オーダー属性情報に設定し（２８）、処理を終了する（２９）。
【００１７】
図３は、本発明の一実施例となる、該印刷注文受付装置のユーザによって指定されたオーダーフォルダをソースにして、該オーダーフォルダ内の未使用画像を入力画像とするオーダーを新規に作成する、再オーダー処理のフローである。この処理は、該印刷注文受付装置上のオーダーリスト表示の画面において、該ユーザが指定した再オーダー処理を受けて実行される。
【００１８】
この処理が開始すると、まずは図２と同様に新規にオーダーを生成し（３１、３２）、続いて、該ユーザが指定したソースとなるオーダーフォルダ内で未使用となっていた画像を、新オーダーフォルダへ入力する（３３）。該未使用画像の抽出は、図１の１７と同じ方法で実現する。その後の編集処理フローは図２の２６以降とまったく同じであり、編集処理、印刷、該オーダーの削除期限情報の設定を行って再オーダー処理が終了する（３４、３５、３６、３７）。
【００１９】
図４は、本発明の一実施例となる、図１の１８にあるデザインテンプレート自動選択および該オーダーフォルダ内未使用画像の選択処理フローである。
【００２０】
４１で処理が開始すると、まずは乱数を用いたデザインテンプレート選択が行われる（４２）。この乱数を用いた選択処理は、全デザインテンプレートの検索を行ったのち、発生した乱数と該デザインテンプレート総数との剰余をとり、該剰余値が指す位置にある該検索されたデザインテンプレートリスト内のデザインテンプレートを特定することで実現する。４３では４２で選択されたデザインテンプレート内の空きの画像スロット数をチェックする。もし、４４の比較において、該空きの画像スロット総数が、該オーダーフォルダ内の未使用画像数よりも大きい場合には、４２のデザインテンプレートの選択処理をやり直す。該未使用画像数と同じ場合には該未使用画像のすべてが自動合成で使用されるものとする（４５、４７）。また、該未使用画像数の方が該空きの画像スロット総数より大きい場合には、乱数を用いた該空き画像スロット数の画像の選択が行われる（４６）。この乱数を用いた該未使用画像の選択処理は、発生した乱数と該未使用画像数との剰余をとり、該剰余値が指す位置にある、該未使用画像リスト内の画像を特定することで実現する。選択された未使用画像が重複しないように、該画像の合計が該空き画像スロット数になるまで該選択処理を続ける。
【００２１】
図５は、本発明の一実施例となる、該印刷注文受付装置が持つシステム設定情報のうち、オーダーフォルダ削除属性を設定する画面５１である。
【００２２】
５２ではオーダーが生成されてから削除されるまでの期間を示している。該期間情報は、図２の２８および図３の３６において、オーダー削除期限属性を設定する際に参照される。
【００２３】
５３は前記電子メールによる削除期限通知を実行する時期を、削除期限日時からさかのぼった日にちで指定する。つまり、図５では削除予定の７日前になった時点でオーダーフォルダ削除期限属性を通知する。該通知日時情報は、図１の１５において、該削除期限通知時期に達しているかどうかをチェックする際に参照される。
【００２４】
マウスなどの入力装置を利用して設定ボタン５４を選択することで、５２、５３で設定・変更された値をシステム設定情報に反映し、該画面を閉じることができる。また、取り消しボタン５５選択時には該システム設定情報に変更は加えられない。
【００２５】
図６は、本発明の一実施例となる、該印刷注文受付装置上で表示されるオーダーリスト画面である。６１はオーダーリスト、６２は該オーダーの状態を示すアイコン、６３はオーダーリスト６１で選択状態にあるオーダーを削除するときに選択されるボタン、６４は図３で示されている再オーダー処理を実行するときに選択されるボタン、６５は６１で選択状態にあるオーダーを再編集するときに選択されるボタンである。特に一番先頭のオーダーについては、リストの先頭項目にアイコンが付加されており、該オーダーフォルダ削除期限通知を実施済みであることを示している。該表示方法によって、該削除期限通知を受けた顧客が再オーダーを行う場合に該オーダーを特定し選択する作業を早めることができる。
【００２６】
図７は、本発明の一実施例となる、該オーダーフォルダ削除期限通知を受けた顧客側の電子メールソフトウエアの画面である。メッセージ本文内には、該オーダーフォルダの生成日時や削除日時、合成処理で利用されているテンプレートＩＤ７２が含まれ、また、該合成処理の縮小画像も添付画像として表示されている（７３）。これにより、該顧客にとっては、該オーダーフォルダにはどういった画像が含まれているのかを確認できるばかりではなく、未使用であった画像であってもデザインテンプレートと合成した結果を直接見られるため、特にその合成画像の完成度が高いと感じた場合には、削除されるのは心もとないといった心理が働くことで、より一層の印刷注文を喚起することができる。
【００２７】
図８は、本発明の一実施例となる、図１の２０においてオーダーフォルダ削除期限通知用メッセージ生成の際に参照される、通知メッセージテンプレートファイル上の特定文字列展開のためのキーワードである。上から、顧客名、オーダー生成日時、オーダー削除日時、テンプレートＩＤを示している。該通知メッセージ生成時には該キーワードが該顧客属性の文字列に置き換えられる。
【００２８】
図９は、本発明の一実施例となる、該印刷注文受付装置のシステム設定情報内オーダーフォルダ削除設定項目の内容の一部である。該項目の内容は図５のオーダーフォルダ削除属性設定画面５１の状況が反映されている。該システム設定はファイルとして該印刷注文受付装置に格納されるが、データ形式はテキストデータであってもバイナリデータであってもよい。図９では、そのオーダー生成から削除されるまでの期間、および、該削除期限通知を行う日にちが、それぞれｏｒｄｅｒ＿ｄｅｌｅｔｅ、ｄｅｌｅｔｅ＿ｉｎｆｏｒｍキーに対する値として設定されている。
【００２９】
図１０は、本発明の一実施例となる、該印刷注文受付装置におけるサービス完了直後のオーダーフォルダ内のファイル構成の例である。該顧客のオリジナル画像は、シリアル番号をファイル名としたファイルとして格納されている。該オリジナル画像群は、該顧客が持参した画像ファイルそのままコピーしたものであってもよいし、該印刷注文受付装置の内部で利用可能な形式に正規化されたものであってもよい。また、印刷レイアウト情報はｌａｙｏｕｔ．ｄａｔ、オーダー属性情報はｏｒｄｅｒ．ｄａｔ、顧客属性ファイルはｃｕｓｔｏｍｅｒ．ｄａｔとして格納されている。これら３つのファイル形式はテキストデータであってもバイナリデータであってもよい。印刷レイアウト情報は、編集時に利用される入力画像の名称や印刷時の該画像の大きさ、入力されたテキストデータなどの文字情報を含んでいる。オーダー属性ファイルには、サービス開始日時や利用したテンプレートのＩＤ、該オーダーフォルダ削除期限情報を格納する。顧客属性ファイルには、該オーダーに対する顧客の氏名や電子メールアドレスといった属性情報を格納する。
【００３０】
図１１は、本発明の一実施例となる、該印刷注文受付装置におけるオーダーフォルダ内に格納される印刷レイアウト情報ファイルである。このファイルは、図２の２６および図３の３４の編集処理において選択されたデザインテンプレートと同じ構成を持ち、図２の２７および図３の３５の印刷処理完了時に保存される。該印刷レイアウト情報ファイルでは、ドキュメントを構成するためのページ属性、およびページ上に表示される画像やテキストといったオブジェクトの属性が位置情報やサイズ情報、入力画像の名称や文字列とともに記述されている。
【００３１】
図１１の印刷レイアウト情報は、幅１５０．００、高さ１０５．００の論理単位を持つ１ページのドキュメントであって、該ページにはスロットが３つあり、それぞれ画像、画像、テキストを示している。最初のスロットは図９に示している入力画像０．ｊｐｇを指し、幅１０．３０、高さ１５．００、水平位置２０．００、垂直位置２５．００のジオメトリ情報をもつ。次のスロットも入力画像である１．ｊｐｇを指し、幅５０．００、高さ１００．００、水平位置５０．００、垂直位置０．００のジオメトリ情報をもつ。最後のスロットはテキスト［謹賀新年］を示し、フォントサイズが１２．００、フォント名が［ゴシック］、幅１００．００、高さ２０．００、水平位置１０．００、垂直位置５０．００のジオメトリ情報をもつ。図１の１７において未使用画像の検索は、該レイアウト情報ファイル内のすべての画像スロットの属性をチェックすることで実現する。
【００３２】
図１２は、本発明の一実施例となる、該オーダーフォルダ内のオーダー属性情報ファイルの内容の一部を示している。オーダー受付日時、削除期限情報、ステータス、該オーダーのサービス名が、それぞれｄａｔｅ、ｄｅｌｅｔｅ＿ｄａｔｅ、ｓｔａｔｕｓ、ｓｅｒｖｉｃｅキーに対する値として、２００１年１０月１０日、２００１年１０月２４日、削除期限通知済み、カレンダーとして設定されている。ここの削除期限情報は、図２の２８、図３の３６で設定される。図６は、これらのオーダー属性情報を画面上でリスト表示した例となっている。
【００３３】
図１３は、本発明の一実施例となる、該オーダーフォルダ内の顧客属性情報ファイルの内容の一部を示している。顧客名が下丸子太郎、電子メールアドレスがｓｈｉｍｏｍａｒｕｋｏ＠ｘｘｘ．ｙｙｙであることが示されている。
【００３４】
図１４は、本発明の一実施例となる印刷注文受付装置の構成である。図１４において、１４１はキーボード・マウスなどの入力装置、１４２はシステムのマネージメント制御・入力画像とデザインテンプレートとの合成処理などを行う中央処理装置、１４３は表示に使用する端末（表示装置）、１４４はハードディスクなどの記憶装置、１４５は印刷装置、１４６は画像入力装置、１４７はフロッピー（Ｒ）ドライブなどの外部記憶装置である。
【００３５】
図１５は、本発明の一実施例となる印刷注文受付装置が接続されるネットワーク構成である。図１５においては、該印刷注文受付装置はローカルネットワーク上のメールサーバに接続することで、間接的にインターネットに接続可能であること示している。一方で、該印刷注文受付装置が該メールサーバの機能を有し、直接インターネットに接続できる形態であってもよい。
【００３６】
【発明の効果】
本発明の請求項１によれば、自動化した処理であっても顧客の意思に基づくオーダーフォルダの削除が可能となり、また、それまでの編集処理において利用されなかった画像に対しても印刷需要を喚起できる、といった効果がある。
【００３７】
本発明の請求項２によれば、前記オーダーフォルダの自動削除の実施時期および削除時期通知の時期をユーザが自由に設定できる、といった効果がある。
【００３８】
本発明の請求項３によれば、一度の操作で、未使用画像で構成されるオーダーを新規に作成することができる、といった効果がある。
【００３９】
本発明の請求項４によれば、オーダーのステータスが理解しやすくなることで、削除時期通知を受けて来店した顧客に対してよりスピーディーな編集操作を実現できる、といった効果がある。
【図面の簡単な説明】
【図１】本発明の印刷注文受付装置で実行される、各オーダーフォルダに対して定期的に行われるオーダーフォルダの削除処理のフローチャート
【図２】本発明の印刷注文受付装置で実行される、顧客からの注文を受け付けてからそのサービスが完了するまでのフローチャート
【図３】本発明の印刷注文受付装置で実行される、顧客からの再オーダー注文を受けてからサービスが完了するまでのフローチャート
【図４】本発明の印刷注文受付装置で実行される、デザインテンプレート自動選択および該オーダーフォルダ内未使用画像の選択処理フローチャート
【図５】本発明の印刷注文受付装置で実行される、オーダーフォルダ削除属性を設定する画面を示す図
【図６】本発明の印刷注文受付装置で実行される、オーダーリスト画面を示す図
【図７】本発明の印刷注文受付装置からオーダーフォルダ削除期限通知を受けた、顧客側の電子メールソフトウエアの画面を示す図
【図８】本発明の印刷注文受付装置がオーダーフォルダ削除期限通知実施に利用する通知メッセージテンプレートファイル上に設定される、キーワードの種類を示す図
【図９】本発明の印刷注文受付装置が管理する、システム設定情報内オーダーフォルダ削除設定項目の内容の一部を示す図
【図１０】本発明の印刷注文受付装置が管理する、サービス完了直後のオーダーフォルダ内のファイル構成の例を示す図
【図１１】本発明の印刷注文受付装置が管理する、オーダーフォルダ内に格納される印刷レイアウト情報ファイルを示す図
【図１２】本発明の印刷注文受付装置が管理する、オーダーフォルダ内のオーダー属性情報ファイルの内容の一部を示す図
【図１３】本発明の印刷注文受付装置が管理する、オーダーフォルダ内の顧客属性情報ファイルの内容の一部を示す図
【図１４】本発明の印刷注文受付装置がその機能の一部として働く、印刷注文受付装置の構成図
【図１５】本発明の印刷注文受付装置が接続されるネットワーク構成図
【符号の説明】
５１  オーダーフォルダ削除属性設定画面
５４  設定ボタン
５５  取り消しボタン
６１  オーダーリスト
６２  オーダーの状態を示すアイコン
７１  顧客側電子メールソフトウエアの画面
１４１  キーボード・マウスなどの入力装置
１４２  中央処理装置
１４３  ディスプレイなどの表示装置
１４４  ハードディスクなどの記憶装置
１４５  印刷装置
１４６  スキャナなどの画像入力装置
１４７  外部記憶装置
【図１】
2004318489.tif 000003
【図２】
2004318489.tif 000004
【図３】
2004318489.tif 000005
【図４】
2004318489.tif 000006
【図５】
2004318489.tif 000007
【図６】
2004318489.tif 000008
【図７】
2004318489.tif 000009
【図８】
2004318489.tif 000010
【図９】
2004318489.tif 000011
【図１０】
2004318489.tif 000012
【図１１】
2004318489.tif 000013
【図１２】
2004318489.tif 000014
【図１３】
2004318489.tif 000015
【図１４】
2004318489.tif 000016
【図１５】
2004318489.tif 000017